(57)【要約】【課題】贈り主側が贈り先に合った商品を自由に選択してセット化した贈答品を立案することができると共に、贈答品の箱やラッピング等も自由に選択して演出した贈答品を贈ることができる発注システムを提供することを目的とする。【解決手段】利用者端末装置より、商品条件に関する情報と付帯品条件に関する情報と支払方法条件に関する情報とを含む一連の発注処理を行う為の条件候補の一覧を利用者端末装置に表示して、その中から条件候補の選択を受け付ける贈答品立案条件入力手段と、選択された条件候補に基づいてデータ記憶装置を検索し、該当する商品情報と３Ｄ商品画像との一覧と、付帯品情報と３Ｄ付帯品画像との一覧とを表示して、その一覧の中から選択された商品情報と付帯品情報と支払方法情報とに基づいて作成した発注情報をデータ記憶装置に登録する発注情報登録手段とを備えることを特徴とする。【選択図】          図１
2004192285.tif 000002
【特許請求の範囲】
【請求項１】
贈答品の贈り主側が備える利用者端末装置に、通信ネットワークを介してこの発注システムの運営機関側が備える発注管理装置を接続することで、贈り先に合った複数の商品を選択してセット化する贈答品の立案支援を含む一連の発注処理を行うシステムであって、
前記発注管理装置は、前記贈答品を立案する為の商品条件に関する情報を含む商品情報と、立案した贈答品に対して更に演出する為の付帯品条件に関する情報を含む付帯品情報と、贈答品に係る代金の支払方法条件に関する情報を含む支払方法情報と、前記商品情報と関連付けられたその商品の３Ｄ商品画像と、前記付帯品情報と関連付けられたその付帯品の３Ｄ付帯品画像とを少なくとも登録したデータ記憶装置と、
前記利用者端末装置からの発注要求信号に応答して、前記商品条件に関する情報と前記付帯品条件に関する情報と前記支払方法条件に関する情報とを含む前記一連の発注処理を行う為の条件候補の一覧をその利用者端末装置に表示して、その中から条件候補の選択、又は／及び、条件情報の入力を受け付ける贈答品立案条件入力手段と、
前記贈答品立案条件入力手段で選択された条件候補、又は／及び、入力された条件情報に基づいて前記データ記憶装置を検索し、該当する前記商品情報と前記３Ｄ商品画像との一覧と前記付帯品情報と前記３Ｄ付帯品画像との一覧とを表示して、更に、その一覧の中から選択された前記商品情報と前記付帯品情報と前記支払方法情報とに基づいて作成した発注情報と、その３Ｄ商品画像と３Ｄ付帯品画像とに基づいて作成した３Ｄ贈答品画像とを前記データ記憶装置に登録する発注情報登録手段とを備えることを特徴とする、贈答品立案支援発注システム。
【請求項２】
前記商品条件に関する情報に於ける前記条件候補の一覧は、贈答目的と贈り先対象と贈り先嗜好属性と予算の中で、１つ以上の情報を含み、
前記発注情報登録手段は、前記３Ｄ商品画像の一覧の中から任意の前記３Ｄ商品画像が選択された際に、その３Ｄ商品画像について、前記利用者端末装置から、拡大表示、移動表示、３６０度以内の範囲で前後左右の回転表示の中で、何れかを行う為の指定を受け付ける画像拡大・移動・回転表示手段を含むことを特徴とする、請求項１に記載の贈答品立案支援発注システム。
【請求項３】
前記付帯品条件に関する情報に於ける前記条件候補の一覧は、前記贈答品に添付する熨斗とメッセージカードとその贈答品を納める箱とその箱のラッピングの中で１つ以上の情報を含み、
前記発注情報登録手段は、前記利用者端末装置から、前記メッセージカードに設定する為のメッセージの入力を受け付けるメッセージ入力手段を含むことを特徴とする、請求項１、又は請求項２に記載の贈答品立案支援発注システム。
【請求項４】
前記発注情報登録手段は、選択された前記３Ｄ商品画像と前記３Ｄ付帯品画像とについて、前記利用者端末装置から、前記贈答品、要すれば更に、前記メッセージカードが前記箱に収納された収納状態の表示を行う為の指示を受け付ける収納状態表示手段と、
選択された前記３Ｄ付帯品画像について、前記利用者端末装置から、ラッピングされた前記箱の外観状態の表示を行う為の指示を受け付ける外観状態表示手段とを含み、
更に、前記収納状態表示手段と前記外観状態表示手段とは、前記利用者端末装置から、拡大表示、移動表示、３６０度以内の範囲で前後左右の回転表示の中で、何れかを行う為の指定を受け付ける画像拡大・移動・回転表示手段を含むことを特徴とする、請求項３に記載の贈答品立案支援発注システム。
【請求項５】
前記発注管理装置は、前記利用者端末装置からの検索要求信号に応答して、入力された検索条件に基づいて前記データ記憶装置を検索し、その贈り主側に関する前記発注情報の一覧をその利用者端末装置に表示する発注情報検索手段を更に備えることを特徴とする、請求項１乃至請求項４の何れか１項に記載の贈答品立案支援発注システム。
【発明の詳細な説明】
【０００１】
【発明の属する技術分野】
本発明は、贈答品の贈り主側が備える利用者端末装置に、通信ネットワークを介してこの発注システムの運営機関側が備える発注管理装置を接続することで、贈り先に合った複数の商品を選択してセット化する贈答品の立案支援を含む一連の発注処理を行うシステムに関するものである。
【０００２】
【従来の技術】
お中元やお歳暮等の贈答品を贈るにあたり、今日では、直接、デパート等に出向いて商品選択を行う時間的な余裕の無い人達の為に、ネットショッピングを利用して贈答品を発注するシステムも提供されている。
【０００３】
しかしながら、直接、デパート等に出向いたり、或いは、自宅で贈答品カタログ等を利用するにしても、多くの商品点数の中から、予算の範囲内でその贈る時期と贈り先毎に合った商品を選択することは、贈る側にとって、多くの時間を要しているのが一般的である。
【０００４】
又、贈答品の販売側が、予め、贈答用として複数の商品をセット化したセット商品の販売も浸透しているが、そのセット商品の内容も同一メーカーの商品や同一分野の商品に統一されていることが多い為、贈り主側が希望する贈答品候補としての選択肢を狭くしている。このことは、前述の商品選択の為に多くの時間を要している要因としてあげられている。
【０００５】
又、セット商品を収納する箱やそのラッピング等も、その販売側が、予め、決めたものを使用している為、この点についても、贈り主側の気持ちが贈り先へ十分に伝えることができない問題としてあげられている。
【０００６】
又、セット商品の事例として、例えば、特開２００２−１６０４７４号公報に開示されている「ギフトセット」が示すように、贈り主が贈答するポイント数とポイント数が記載された商品カタログとを受取人に提供することによって、贈り主の物品選択の負担を無くするギフトセットが開示されているが、贈り主が、贈り先に合った商品を選択してセット商品を立案して発注することは行われていない。
【特許文献１】
特開２００２−１６０４７４号公報（第１−１０頁）
【０００７】
【発明が解決しようとする課題】
以上のような問題を解決するために本発明では、贈り主側が贈り先に合った商品を自由に選択してセット化した贈答品を立案することができると共に、その贈答品の箱やラッピング等も自由に選択して演出した贈答品を贈ることができる発注システムを提供することを目的とする。
【０００８】
【課題を解決するための手段】
上記目的を達成するため、請求項１に記載の発明は、贈答品の贈り主側が備える利用者端末装置に、通信ネットワークを介してこの発注システムの運営機関側が備える発注管理装置を接続することで、贈り先に合った複数の商品を選択してセット化する贈答品の立案支援を含む一連の発注処理を行うシステムであって、
前記発注管理装置が、前記贈答品を立案する為の商品条件に関する情報を含む商品情報と、立案した贈答品に対して更に演出する為の付帯品条件に関する情報を含む付帯品情報と、贈答品に係る代金の支払方法条件に関する情報を含む支払方法情報と、前記商品情報と関連付けられたその商品の３Ｄ商品画像と、前記付帯品情報と関連付けられたその付帯品の３Ｄ付帯品画像とを少なくとも登録したデータ記憶装置と、
前記利用者端末装置からの発注要求信号に応答して、前記商品条件に関する情報と前記付帯品条件に関する情報と前記支払方法条件に関する情報とを含む前記一連の発注処理を行う為の条件候補の一覧をその利用者端末装置に表示して、その中から条件候補の選択、又は／及び、条件情報の入力を受け付ける贈答品立案条件入力手段と、
前記贈答品立案条件入力手段で選択された条件候補、又は／及び、入力された条件情報に基づいて前記データ記憶装置を検索し、該当する前記商品情報と前記３Ｄ商品画像との一覧と前記付帯品情報と前記３Ｄ付帯品画像との一覧とを表示して、更に、その一覧の中から選択された前記商品情報と前記付帯品情報と前記支払方法情報とに基づいて作成した発注情報と、その３Ｄ商品画像と３Ｄ付帯品画像とに基づいて作成した３Ｄ贈答品画像とを前記データ記憶装置に登録する発注情報登録手段とを備えることを特徴とする。
【０００９】
この請求項１の発明によれば、贈り主側は、贈り先に合った複数の商品を選択してセット化した贈答品を立案することができることにより、贈答品とその付帯品の支払を含めた一連の発注処理を容易に行うことができる。
【００１０】
請求項２に記載の発明は、前記商品条件に関する情報に於ける前記条件候補の一覧が、贈答目的と贈り先対象と贈り先嗜好属性と予算の中で、１つ以上の情報を含み、
前記発注情報登録手段が、前記３Ｄ商品画像の一覧の中から任意の前記３Ｄ商品画像が選択された際に、その３Ｄ商品画像について、前記利用者端末装置から、拡大表示、移動表示、３６０度以内の範囲で前後左右の回転表示の中で、何れかを行う為の指定を受け付ける画像拡大・移動・回転表示手段を含むことを特徴とする。
【００１１】
この請求項２の発明によれば、贈り主側は、贈り先に合った商品を選択してセット化した贈答品を立案する際に、贈答目的、予算、贈り先対象、贈り先嗜好属性等の情報を指定することによって、多くの商品点数の中から、贈答品候補の商品を自動選択することができる。
又、選択された商品に対して、その画像の拡大、回転等の指定を利用者端末装置より行って、商品を確認することができる。
【００１２】
請求項３に記載の発明は、前記付帯品条件に関する情報に於ける前記条件候補の一覧が、前記贈答品に添付する熨斗とメッセージカードとその贈答品を納める箱とその箱のラッピングの中で１つ以上の情報を含み、
前記発注情報登録手段が、前記利用者端末装置から、前記メッセージカードに設定する為のメッセージの入力を受け付けるメッセージ入力手段を含むことを特徴とする。
【００１３】
この請求項３の発明によれば、贈り主側は、贈答品に添付する熨やメッセージカード、収納する箱やそのラッピング等について、複数種類の中から、その贈答に適した演出を行うことができる。
【００１４】
請求項４に記載の発明は、前記発注情報登録手段が、選択された前記３Ｄ商品画像と前記３Ｄ付帯品画像とについて、前記利用者端末装置から、前記贈答品、要すれば更に、前記メッセージカードが前記箱に収納された収納状態の表示を行う為の指示を受け付ける収納状態表示手段と、
選択された前記３Ｄ付帯品画像について、前記利用者端末装置から、ラッピングされた前記箱の外観状態の表示を行う為の指示を受け付ける外観状態表示手段とを含み、
更に、前記収納状態表示手段と前記外観状態表示手段とが、前記利用者端末装置から、拡大表示、移動表示、３６０度以内の範囲で前後左右の回転表示の中で、何れかを行う為の指定を受け付ける画像拡大・移動・回転表示手段を含むことを特徴とする。
【００１５】
この請求項４の発明によれば、贈り主側は、贈り先に届いた贈答品の外観状態と贈り先がその贈答品を開けた収納状態とを事前に確認することができる。
又、収納状態をその利用者端末装置に表示した際に、贈答品が構成する各商品のレイアウト変更も行うことができる。
【００１６】
請求項５に記載の発明は、前記発注管理装置が、前記利用者端末装置からの検索要求信号に応答して、入力された検索条件に基づいて前記データ記憶装置を検索し、その贈り主側に関する前記発注情報の一覧をその利用者端末装置に表示する発注情報検索手段を更に備えることを特徴とする。
【００１７】
この請求項５の発明によれば、贈り主側は、お中元やお歳暮等の定期的な贈答シーズンの度毎に、過去の贈り先毎の発注情報を検索することによって、今回の贈答品候補を選択する際の情報として利用することができる。
【００１８】
【発明の実施の形態】
以下、本発明の一実施の形態を図に基づいて詳細に説明する。
図１は本発明の贈答品立案支援発注システムのシステム構成を示す模式図である。
【００１９】
図１に示すように、贈り先に合った複数の商品を選択してセット化した贈答品の贈り主側が備えるパソコン等の利用者端末装置１と、この利用者端末装置１とインターネット２を介して接続される、この発注システムの運営機関側が備える発注管理装置１０とから構成される。
【００２０】
発注管理装置１０は、贈答品の立案支援を含む一連の発注業務を遂行するために必要な情報が登録されているデータベース２０と画像ファイル３０と、利用者端末装置１からの検索要求を受信して、インターネット２を介してデータベース２０と画像ファイル３０の検索結果を送信するＷｅｂサーバー１１と、データベース２０を管理するデータベースサーバー１２と、贈答品の立案支援を含む一連の発注業務処理を行うアプリケーションサーバー１３とから構成される。
【００２１】
データベース２０は、利用者テーブル２１、商品テーブル２２、商品候補テーブル２３、付帯品テーブル２４、支払方法テーブル２５、発注テーブル２６、発注明細テーブル２７から構成される。
【００２２】
利用者テーブル２１は、贈り先に合った複数の商品を選択してセット化した贈答品を立案して発注する贈り主側の利用者情報を記録するものである。
利用者情報には、検索キー部である利用者コードと、データ部に属する事業所名（氏名）、郵便番号、住所、電話番号、メールアドレス、決済カード番号、カード名義、登録年月日等の情報を格納記憶する。
【００２３】
商品テーブル２２は、セット化した贈答品を構成する商品情報を記録するものである。
商品情報には、商品分類と商品コードとからなる検索キー部と、贈答目的と贈り先対象と贈り先嗜好属性と商品価格帯とからなる検索キー部と、データ部に属する商品名、メーカー名、色、規格、サイズ、容量、重量、金額、３Ｄ商品画像コード、登録年月日等の情報を格納記憶する。
商品分類には、「酒」、「菓子」、「乾物」、「油」、「フルーツ」、「加工食品」等が設定される。
贈答目的には、「誕生日」、「クリスマス」、「お祝い」、「お見舞い」、「お中元」、「お歳暮」、「季節の挨拶」、「その他」等が設定される。
贈り先対象には、「老人」、「主婦」、「サラリーマン」、「ＯＬ」、「大学生」、「子供」等が設定される。
贈り先嗜好属性には、「魚中心」、「肉中心」、「健康志向」、「ワイン好き」、「日本酒好き」、「ビール好き」、「ノンアルコール」等が設定される。
【００２４】
商品候補テーブル２３は、商品情報より商品条件候補に基づいて抽出した商品候補情報を記録するものである。
商品候補情報は、商品情報と同一の情報を格納記憶する。
【００２５】
付帯品テーブル２４は、セット化した贈答品を演出する付帯品情報を記録するものである。
付帯品情報には、付帯品分類と付帯品コードとからなる検索キー部と、データ部に属する付帯品名、色、サイズ、重量、金額、３Ｄ付帯品画像コード、登録年月日等の情報を格納記憶する。
付帯品分類には「熨斗」、「メッセージカード」、「箱」、「包装紙」、「リボン」等が設定され、
「熨斗」の内訳として、「内祝（蝶結び）」、「内祝（結び切）」、「快気祝」、「クリスマス」、「誕生日」、「ゴルフ賞」等が設定され、
「箱」の内訳として、「木箱」、「紙箱」等が設定される。
【００２６】
支払方法テーブル２５は、贈答品に係る代金の支払方法の情報を記録するものである。
支払方法情報には、検索キー部である支払方法分類と、データ部に属する支払方法名称、登録年月日等の情報を格納記憶する。
支払方法分類には、「クレジットカード」、「銀行振込」、「郵便振込」等が設定される。
【００２７】
発注テーブル２６は、贈り主が立案した贈答品の発注情報を記録するものである。
発注情報には、検索キー部である発注番号と、利用者コードと発注年月日とからなる検索キー部と、データ部に属する贈答目的、贈り先対象、贈り先嗜好属性、贈答品価格帯、合計金額、支払方法、届け先氏名、届け先郵便番号、届け先住所、届け先電話番号、届け希望日、届け希望時間帯、３Ｄ贈答品画像コード等の情報を格納記憶する。
【００２８】
発注明細テーブル２７は、贈り主が立案した贈答品の発注明細情報を記録するものである。
発注明細情報には、発注番号と商品・付帯品区分とからなる検索キー部と、利用者コードと発注年月日とからなる検索キー部と、データ部に属する商品分類、付帯品分類、商品・付帯品コード、金額、メッセージカードのメッセージ、発注年月日等の情報を格納記憶する。
商品・付帯品区分には、「商品」、「付帯品」が設定される。
【００２９】
又、画像ファイル３０には、商品の３Ｄ商品画像と付帯品の３Ｄ付帯品画像と贈答品の３Ｄ贈答品画像とが登録されており、３Ｄ商品画像は、商品テーブル２２と３Ｄ商品画像コードによって関連付けられており、３Ｄ付帯品画像は、付帯品テーブル２３と３Ｄ付帯品画像コードによって関連付けられており、３Ｄ贈答品画像は、発注テーブル２６と３Ｄ贈答品画像コードによって関連付けられている。
【００３０】
次に、発注管理装置の処理手段４０が、インターネット２を介して利用者端末装置１の要求信号に応答して、データベース２０の検索更新を行う処理手順について詳細に説明する。図２は本発明の発注管理装置に於ける処理手段４０の処理の流れ図であり、処理手段４０は以下の３手段から構成される。
【００３１】
すなわち、贈答品立案条件入力手段４１、発注情報登録手段４２、発注情報検索手段４３から構成される。
又、発注情報登録手段４２は、画像拡大・移動・回転表示手段４２ａ、メッセージ入力手段４２ｂ、収納状態表示手段４２ｃ、外観状態表示手段４２ｄを含む。
【００３２】
贈答品立案条件入力手段４１は、利用者端末装置１からの発注要求信号に応答して、商品条件に関する情報と付帯品条件に関する情報と支払方法条件に関する情報とを含む一連の発注処理を行う為の条件候補の一覧をその利用者端末装置１に表示して、その中から条件候補の選択と条件情報の入力を受け付ける。
【００３３】
以下に、贈答品立案条件入力手段４１の処理手順を詳細に説明する。
（１）贈答品立案条件入力手段４１は、利用者端末装置１からの発注要求信号に応答して、贈答目的の種類と贈り先対象の種類と贈り先嗜好属性の種類と贈答品価格帯の種類とからなる商品条件候補一覧が編集されている贈答品立案条件入力・商品条件候補選択画面を要求のあった利用者端末装置１に送信する。
（２）利用者端末装置１からの商品条件候補の選択を受け付けて、熨斗の種類と箱の種類と包装紙の種類とリボンの種類とからなる付帯品条件候補一覧が編集されている贈答品立案条件入力・付帯品条件候補選択画面を要求のあった利用者端末装置１に送信する。
（３）利用者端末装置１からの付帯品条件候補の選択を受け付けて、（２）の処理で選択された商品条件候補とこの処理で選択された付帯品条件候補とを発注情報登録手段４２に受け渡す。
【００３４】
発注情報登録手段４２は、贈答品立案条件入力手段４１で選択された条件候補と入力された条件情報に基づいてデータベース２０検索し、該当する商品情報と３Ｄ商品画像との一覧と付帯品情報と３Ｄ付帯品画像との一覧とをその利用者端末装置１に表示して、更に、その一覧の中から選択された商品情報と付帯品情報と支払方法情報とに基づいて作成した発注情報と、その３Ｄ商品画像と３Ｄ付帯品画像とに基づいて作成した３Ｄ贈答品画像とをデータベース２０に登録する。
【００３５】
以下に、発注情報登録手段４２の処理手順を詳細に説明する。
（１）発注情報登録手段４２は、贈答品立案条件入力手段４１からの商品条件候補と付帯品条件候補とを受け付ける迄、ウエイトする。
（２）ウエイト解除後、贈答品立案条件入力手段４１から受け付けた商品条件候補（贈答目的と贈り先対象と贈り先嗜好属性）より、商品テーブル２２を検索して該当する商品情報を取得し、取得した商品情報を商品分類毎に分類して商品候補テーブル２３に登録する。
（３）商品候補テーブル２３を検索して商品候補情報を取得し、取得した商品候補情報より、商品分類の一覧が編集されている発注情報登録・商品分類選択画面を要求のあった利用者端末装置１に送信する。
（４）利用者端末装置１からの商品分類の選択を受け付けて、選択された商品分類より、商品候補テーブル２３を検索して該当する商品候補情報を取得し、取得した商品候補情報に設定されている３Ｄ商品画像コードより、画像ファイル３０に登録されている３Ｄ商品画像を取得する。
（５）取得した商品候補情報と３Ｄ商品画像との一覧が編集されている発注情報登録・３Ｄ商品画像選択画面を要求のあった利用者端末装置１に送信する。
（６）利用者端末装置１からの３Ｄ商品画像の選択を受け付けて、贈答品立案条件入力手段４１から受け付けた付帯品条件候補（熨斗の種類と箱の種類と包装紙の種類とリボンの種類）より、付帯品テーブル２４を検索して該当する付帯品情報を取得し、取得した付帯品情報に設定されている３Ｄ付帯品画像コードより、画像ファイル３０に登録されている３Ｄ付帯品画像を取得する。
（７）（６）の処理で選択された３Ｄ商品画像とその３Ｄ商品画像に該当する商品候補情報の一覧と、（６）の処理で取得した３Ｄ付帯品画像と、その３Ｄ付帯品画像に該当する付帯品情報の一覧と、これらの商品候補情報と付帯品情報に設定されている金額の集計した合計金額と支払方法分類の種類からなる支払方法条件候補一覧とが編集されている発注情報登録・支払方法条件候補選択画面を要求のあった利用者端末装置１に送信する。
又、選択された３Ｄ商品画像について、表示方法の指定を受け付けた場合は、画像拡大・移動・回転表示手段４２ａに３Ｄ商品画像とその表示方法の指定を受け渡す。
又、付帯品情報の一覧の中で、「メッセージカード」が含まれており、そのメッセージ入力の要求を受け付けた場合は、メッセージ入力手段４２ｂにその要求を受け渡し、メッセージ入力手段４２ｂからのメッセージを受け付ける迄、ウエイトして、ウエイト解除後（８）の処理を行う。
又、収納状態表示の指示を受け付けた場合は、収納状態表示手段４２ｃに（６）の処理で選択された３Ｄ商品画像と（６）の処理で取得した３Ｄ付帯品画像とを受け渡し、収納状態表示手段４２ｃからの制御を受け付ける迄、ウエイトして、ウエイト解除後（８）の処理を行う。
又、外観状態表示の指示を受け付けた場合は、外観状態表示手段４２ｄに（６）の処理で取得した３Ｄ付帯品画像を受け渡し、外観状態表示手段４２ｄからの制御を受け付ける迄、ウエイトして、ウエイト解除後（８）の処理を行う。
（８）利用者端末装置１からの支払方法条件候補の選択を受け付けて、発注情報登録・贈り主、届け先入力画面を要求のあった利用者端末装置１に送信する。
（９）利用者端末装置１からの事業所名（氏名）、郵便番号、住所、電話番号、メールアドレス、決済カード番号、カード名義、届け先氏名、届け先郵便番号、届け先住所、届け先電話番号、届け希望日、届け希望時間帯の入力を受け付けて、３Ｄ付帯品画像（箱）に選択された３Ｄ商品画像（贈答品）と３Ｄ付帯品画像（メッセージカード）が収納されている状態の画像と、（６）の処理で選択された３Ｄ商品画像の商品候補情報と、（６）の処理で取得した付帯品情報と、（８）の処理で選択された支払方法条件候補と、入力された贈り主と届け先に関する情報とが編集されている発注情報登録確認画面を要求のあった利用者端末装置１に送信する。
（１０）利用者端末装置１からの確認ＯＫの選択を受け付けて、（９）の処理で入力された贈り主に関する情報より、利用者情報を作成して利用者テーブル２１に登録する。
（１１）（２）の処理で贈答品立案条件入力手段４１から受け付けた商品条件候補（贈答目的と贈り先対象と贈り先嗜好属性）と、（６）の処理で集計した合計金額と、（８）の処理で選択された支払方法条件候補と、（９）の処理で入力された届け先に関する情報より、発注情報を作成して発注テーブル２６に登録する。
（１２）（６）の処理で選択された３Ｄ商品画像の商品候補情報と、（６）の処理で取得した付帯品情報より、発注明細情報を作成して発注明細テーブル２７に登録する。
又、メッセージ入力手段４２ｂからのメッセージを受け付けた場合は、受け付けたメッセージを発注明細情報に設定する。
（１３）（６）の処理で取得した３Ｄ付帯品画像（箱）に（６）の処理で選択された３Ｄ商品画像（贈答品）と３Ｄ付帯品画像（メッセージカード）が収納されている状態の３Ｄ贈答品画像を画像ファイル３０に登録する。
【００３６】
画像拡大・移動・回転表示手段４２ａは、３Ｄ商品画像の一覧の中から任意の３Ｄ商品画像が選択された際に、その３Ｄ商品画像について、利用者端末装置１から、拡大表示とその範囲、縮小表示とその範囲、移動表示とその方向、回転表示とその方向と範囲の中で、何れかを行う為の指定を受け付けて、受け付けた指定に基づいてその３Ｄ商品画像を表示する。
【００３７】
以下に、画像拡大・移動・回転表示手段４２ａの処理手順を詳細に説明する。
（１）画像拡大・移動・回転表示手段４２ａは、発注情報登録手段４２からの３Ｄ商品画像とその表示方法の指定を受け付ける迄、ウエイトする。
（２）ウエイト解除後、発注情報登録手段４２から受け付けた３Ｄ商品画像とその表示方法、範囲、方向に基づいて、拡大、縮小、移動、回転させた３Ｄ商品画像を利用者端末装置１に送信する。
【００３８】
メッセージ入力手段４２ｂは、利用者端末装置１から、メッセージカードに設定する為のメッセージの入力を受け付けて、データベース２０に登録する。
【００３９】
以下に、メッセージ入力手段４２ｂの処理手順を詳細に説明する。
（１）メッセージ入力手段４２ｂは、発注情報登録手段４２からのメッセージ入力の要求を受け付ける迄、ウエイトする。
（２）ウエイト解除後、発注情報登録・メッセージ入力画面を要求のあった利用者端末装置１に送信する。
（３）利用者端末装置１からのメッセージの入力を受け付けて、入力されたメッセージを発注情報登録手段４２に受け渡す。
【００４０】
収納状態表示手段４２ｃは、選択された３Ｄ商品画像と３Ｄ付帯品画像とについて、利用者端末装置１から、贈答品、メッセージカードが箱に収納された収納状態の表示を行う為の指示を受け付けて、その３Ｄ商品画像と３Ｄ付帯品画像とを表示する。
【００４１】
以下に、収納状態表示手段４２ｃの処理手順を詳細に説明する。
（１）収納状態表示手段４２ｃは、発注情報登録手段４２からの３Ｄ商品画像と３Ｄ付帯品画像とを受け付ける迄、ウエイトする。
（２）ウエイト解除後、受け付けた３Ｄ付帯品画像（箱）に３Ｄ商品画像（贈答品）と３Ｄ付帯品画像（メッセージカード）が収納されている状態の３Ｄ画像が編集されている発注情報登録・収納状態確認画面を要求のあった利用者端末装置１に送信する。
（３）発注情報登録手段４２に制御を受け渡す。
【００４２】
外観状態表示手段４２ｄは、選択された３Ｄ付帯品画像について、利用者端末装置１から、ラッピングされた箱の外観状態の表示を行う為の指示を受け付けて、その３Ｄ付帯品画像を表示する。
【００４３】
以下に、外観状態表示手段４２ｄの処理手順を詳細に説明する。
（１）外観状態表示手段４２ｄは、発注情報登録手段４２からの３Ｄ付帯品画像を受け付ける迄、ウエイトする。
（２）ウエイト解除後、受け付けた３Ｄ付帯品画像（箱）が３Ｄ付帯品画像（包装紙）でラッピングされている状態の３Ｄ画像が編集されている発注情報登録・外観状態確認画面を要求のあった利用者端末装置１に送信する。
（３）発注情報登録手段４２に制御を受け渡す。
【００４４】
発注情報検索手段４３は、利用者端末装置１からの検索要求信号に応答して、入力された検索条件に基づいてデータベース２０を検索し、その贈り主側に関する発注情報の一覧をその利用者端末装置１に表示する。
以下に、発注情報検索手段４３の処理手順を詳細に説明する。
（１）発注情報検索手段４３は、利用者端末装置１からの発注検索要求信号に応答して、発注情報検索・検索条件入力画面を要求のあった利用者端末装置１に送信する。
（２）利用者端末装置１からの検索条件（利用者コード、届け先氏名）の入力を受け付けて、入力された検索条件より、発注テーブル２６を検索して該当する発注情報を取得する。
（３）（２）の処理で取得した発注情報に設定されている発注番号より、発注明細テーブル２７を検索して該当する発注明細情報を取得する。
（４）（３）の処理で取得した発注明細情報に設定されている商品分類と商品コードより、商品テーブル２２を検索して該当する商品情報を取得する。
（５）（３）の処理で取得した発注明細情報に設定されている付帯品分類と付帯品コードより、付帯品テーブル２４を検索して該当する付帯品情報を取得する。
（６）（２）の処理で取得した発注情報に設定されている３Ｄ贈答品画像コードより、画像ファイル３０の３Ｄ贈答品画像を取得する。
（７）（２）の処理で取得した発注情報に設定されている発注年月日の降順に、その発注情報と（４）の処理で取得した商品情報と（５）の処理で取得した付帯品情報と（６）の処理で取得した３Ｄ贈答品画像とからなる一覧が編集されている発注情報検索画面を要求のあった利用者端末装置１に送信する。
【００４５】
以上、本発明の一実施の形態を詳細に説明したが、本発明は、本実施の形態に限られるものではない。本発明の技術的範囲から逸脱しない範囲内で多様に変更実施することが可能である。
【００４６】
【発明の効果】
以上に説明したように、本発明の贈答品立案支援発注システムによれば、贈り主側は、贈答目的、予算、贈り先対象、贈り先嗜好属性等の情報を指定することによって、多くの商品点数の中から、贈り先に合った複数の商品を選択してセット化した贈答品を立案すると共に、贈答品に添付する熨やメッセージカード、収納する箱やそのラッピング等について、複数種類の中から、その贈答に適した演出を行うことができる。
【図面の簡単な説明】
【図１】本発明の贈答品立案支援発注システムのシステム構成を示す模式図である。
【図２】本発明の発注管理装置に於ける処理手段の処理の流れ図である。
【符号の説明】
１  利用者端末装置
２  インターネット
１０  発注管理装置
１１  Ｗｅｂサーバー
１２  データベースサーバー
１３  アプリケーションサーバー
２０  データベース
２１  利用者テーブル
２２  商品テーブル
２３  商品候補テーブル
２４  付帯品テーブル
２５  支払方法テーブル
２６  発注テーブル
２７  発注明細テーブル
３０  画像ファイル
４０  処理手段
４１  贈答品立案条件入力手段
４２  発注情報登録手段
４２ａ  画像拡大・移動・回転表示手段
４２ｂ  メッセージ入力手段
４２ｃ  収納状態表示手段
４２ｄ  外観状態表示手段
４３  発注情報検索手段
１００  贈答品立案支援発注システム
【図１】
2004192285.tif 000003
【図２】
2004192285.tif 000004